(57)【要約】【課題】  プレートが高温で且つ鍋内の油が低温の場合などには、反り量や油量の検知精度に大幅な誤差を生じるおそれがあった。【解決手段】  加熱容器１を載置するプレート３と、加熱容器１内の被加熱物２を加熱する加熱コイル５と、プレート３の温度を測定する温度センサ４と、温度センサ４で測定した測定温度に基づいて、加熱容器１底面の反り量を検出する反り量検出手段８と、反り量検出手段８で検出された反り量に基づいて、加熱コイル５の加熱量を調整する加熱量調整手段１１とを備え、反り量検出手段８は、加熱開始温度から第１の温度に上昇するまでの第１の経過時間と、前記第１の温度から第２の温度に上昇するまでの第２の経過時間とを用いて反り量を検出するものである。【選択図】  図１
2006228757.tif 000002
【特許請求の範囲】
【請求項１】
加熱容器を載置するプレートと、
前記プレートの下方に設けられ、前記加熱容器内の被加熱物を加熱する加熱コイルと、  前記プレートの下方に設けられ、前記プレートの温度を測定する温度センサと、
前記温度センサで測定した測定温度に基づいて、前記被加熱物の容量を検出する容量検出手段と、
前記容量検出手段で検出された容量に基づいて、前記加熱コイルの加熱量を調整する加熱量調整手段とを備え、
前記容量検出手段は、基準となる閾値に対し、少なくとも前記被加熱物の初期温度による補正を行うことを特徴とする誘導加熱調理器。
【請求項２】
前記被加熱物の初期温度による補正は、前記プレートの初期温度と前記被加熱物の初期温度とが一致する基準条件で予め測定した加熱開始温度から所定の温度に上昇するまでの時間と、前記温度センサで測定した加熱開始温度から所定の温度に上昇するまでの時間との差に所定の補正傾きを乗じて得られる補正量を用いた補正であることを特徴とする請求項１記載の誘導加熱調理器。
【請求項３】
前記容量検出手段は、基準となる閾値に対し、更に前記プレートの初期温度による補正を行うことを特徴とする請求項２記載の誘導加熱調理器。
【請求項４】
前記プレートの初期温度による補正は、前記プレートの初期温度と前記被加熱物の初期温度とが一致する基準条件で予め測定した基準条件プレート温度と、前記温度センサで測定した前記プレートの初期温度との差に所定の補正傾きを乗じて得られる補正量を用いた補正であることを特徴とする請求項３記載の誘導加熱調理器。
【請求項５】
前記温度センサで測定した測定温度に基づいて、前記加熱容器底面の反り量を検出する反り量検出手段を更に備え、
前記容量検出手段は、基準となる閾値に対し、更に前記反り量検出手段で検出した反り量で補正することを特徴とする請求項１から請求項４のいずれか一項に記載の誘導加熱調理器。
【請求項６】
前記被加熱物の初期温度による補正量に基づいて、前記加熱量調整手段における加熱目標温度を変更することを特徴とする請求項１記載の誘導加熱調理器。
【発明の詳細な説明】
【技術分野】
【０００１】
本発明は、誘導加熱調理器に関し、特に鍋の反り量や油量などを高い精度で検出することのできる誘導加熱調理器に関するものである。
【背景技術】
【０００２】
従来の誘導加熱調理器は、鍋をのせたプレートの下方に温度検知手段を設け、プレートを介して加熱された鍋の発熱する温度を間接的に測定している（例えば、特許文献１，２参照）。
【０００３】
【特許文献１】特開２００１−３５１７７１号公報（第２〜５頁、第１図）
【０００４】
【特許文献２】特開平６−８９７８０号公報（第２〜４頁、第１図）
【０００５】
特許文献１に記載された誘導加熱調理器によれば、温度検出手段により検出された温度の２階微分値により鍋の反り量を判定すると共に、熱伝導方程式を用いて推定された鍋の熱容量と鍋底温度により油量を判定している。そして、これらの判定で得られた鍋の反り量と油量とに基づいて、温度立ち上げ手段と温度調整手段の制御方式を変えることにより、油量によらず精度良く揚げ物調理を行うことができる。
また、特許文献２に記載された誘導加熱調理器によれば、温度検知手段と計時手段を用いて鍋内容物加熱過程における温度上昇の傾きｔを求めている。そして、この傾きｔから推定した鍋の反り量に基づいてパワーダウン温度Ｔを決定することにより、反りのある鍋の異常加熱を防止することができる。
【発明の開示】
【発明が解決しようとする課題】
【０００６】
しかしながら、特許文献１，２に示した従来の誘導加熱調理器では、プレートと鍋内の油とが常温の場合しか考慮されていないため、プレートが高温で且つ鍋内の油が低温の場合、或いはプレートが低温で且つ鍋内の油が高温の場合には、反り量や油量の検知精度に大幅な誤差を生じるおそれがあった。
【０００７】
本発明は、このような問題を解決し、プレートや油の初期温度に影響されることなく、鍋の反り量や油量を高い精度で検出することのできる誘導加熱調理器を提供することを目的とする。
【課題を解決するための手段】
【０００８】
本発明の誘導加熱調理器は、加熱容器を載置するプレートと、プレートの下方に設けられ、加熱容器内の被加熱物を加熱する加熱コイルと、プレートの下方に設けられ、プレートの温度を測定する温度センサと、温度センサで測定した測定温度に基づいて、被加熱物の容量を検出する容量検出手段と、容量検出手段で検出された容量に基づいて、加熱コイルの加熱量を調整する加熱量調整手段とを備え、容量検出手段は、基準となる閾値に対し、少なくとも被加熱物の初期温度による補正を行うことを特徴とする。
【発明の効果】
【０００９】
本発明の誘導加熱調理器は、容量検出手段は、基準となる閾値に対し、少なくとも被加熱物の初期温度による補正を行うことにより、初期加熱状態における加熱容器内の被加熱物の温度が周囲の空気温度（常温）に比べて高温の場合（ホットスタートの場合）であっても、その影響を効果的に排除することができる。その結果、高い精度で被加熱物の容量を検出することが可能となる。
【発明を実施するための最良の形態】
【００１０】
以下、本発明に係る誘導加熱調理器の好適な実施の形態について添付図面を参照して説明する。
図１は、本実施の形態に係る誘導加熱調理器の構成を示すブロック図である。図１に示すように、本実施の形態の誘導加熱調理器は、油（被加熱物）２の入った鍋（加熱容器）１を上面に載置可能なプレート３を備えている。このプレート３は、図示しない誘導加熱調理器本体の上面を構成する。鍋１の載置位置に対向するプレート３の下面には、プレート３の温度を測定するためのサーミスタ（温度センサ）４と、鍋１内の油２を加熱する加熱コイル５とが設けられている。
【００１１】
また、誘導加熱調理器本体内部には、サーミスタ４の出力信号を入力してプレート３の温度を検出する温度検出手段６と、温度検出手段６での温度検出間隔を計数するタイマー７と、温度検出手段６の検出温度に基づいて、鍋１の鍋底反り量を検出する反り量検出手段８と、温度検出手段６の検出温度および反り量検出手段８で検出された反り量に基づいて、油２の容量を検出する容量検出手段９とが設けられている。
【００１２】
さらに、誘導加熱調理器本体内部には、容量検出手段９で検出された油２の容量に基づいて、加熱コイル５の加熱量を設定する加熱量設定手段１０と、温度検出手段６の検出温度および容量検出手段９で検出された油２の容量に基づいて、加熱量設定手段１０で設定された加熱量を調整する加熱量調整手段１１と、加熱コイル５を駆動させるためのインバータ回路１２と、加熱量調整手段１１で調整された加熱量に基づいて、インバータ回路１２を制御する制御手段１３とが設けられている。
【００１３】
また、加熱量調整手段１１には、反り量検出手段８で検出された反り量および容量検出手段９で検出された油２の容量に基づいて、加熱開始から予熱完了までの期間および油温度一定制御期間の制御温度を設定する制御温度設定手段１１ａと、温度検出手段６の検出温度および制御温度設定手段１１ａで設定された制御温度に基づいて、加熱量設定手段１０で設定された加熱量を調整する出力調整手段１１ｂとが設けられている。
【００１４】
図２は本実施の形態に係る誘導加熱調理器の回路構成を示す図である。同図に示すように、加熱コイル５を駆動するインバーター回路１２は、整流器１２ａ、平滑コンデンサ１２ｂ、チョークコイル１２ｃ、共振コンデンサ１２ｄ、スイッチング素子１２ｅを備えている。そして、整流器１２ａは、交流電源１４を全波整流し、スイッチング素子１２ｅは、制御手段１３の制御信号によってオン・オフ制御される。また、制御手段１３にはマイコン１５が接続され、このマイコン１５は、交流電源１４を直流電源に変換する直流電源回路１６の出力電力の供給を受けて駆動する。さらに、マイコン１５には、図１に示した温度検出手段６、タイマー７、反り量検出手段８、容量検出手段９、加熱量設定手段１０、加熱量調整手段１１が内蔵されている。
【００１５】
次に、本実施の形態の動作を説明する。
まず、反り量検出手段８の動作について、図３〜図６を用いて説明する。図３は、油２を入れた鍋１をプレート３に載置して加熱を行ったときのサーミスタ４の初期温度変化を表したグラフである。油２の加熱においては、加熱量調整手段１１により加熱量を一定に、例えば１．５ｋＷに固定して加熱を行う。
【００１６】
グラフ中の各記号の意味は、加熱開始時点のサーミスタ温度（サーミスタ温度＝初期プレート温度）をＴ０℃、Ｔ０℃からＴ１℃（Ｔ１℃＝Ｔ０℃＋所定温度１（本実施の形態では所定温度１＝１℃））に至るまでの経過時間（第１の経過時間）をΔｔｍ１［ｓｅｃ］、Ｔ１℃からＴ２℃（Ｔ２℃＝Ｔ１℃＋所定温度２（本実施の形態では所定温度２＝１０℃））に至るまでの経過時間（第２の経過時間）をΔｔｍ２［ｓｅｃ］としている。本実施の形態では油加熱開始後、サーミスタ４と、タイマー７を利用して、上記Δｔｍ１とΔｔｍ２の時間の計測を行う。
【００１７】
図４は、加熱開始時点における鍋１内の初期油温とプレート３の初期温度の関係によって、Δｔｍ１がどのように変化するのかを表した図である。通常使用条件としてもっとも頻度が高い状態、即ち、鍋１、油２、プレート３が共に周囲空気温度（常温）に等しい状態から加熱を開始するコールドスタートを基準にすると、コールドスタート条件では、時間遅れの後に温度が上昇し始め、温度立上り後、図３のΔｔｍ２に該当する時間区間における温度上昇傾きａが略一定の傾きを有する上昇曲線(1)となる。これに対し、初期油温が常温より高い状態から加熱を開始するホットスタート条件の場合、熱容量が大きい高温油の影響を受けたサーミスタ４の温度は、上昇曲線(1)よりも温度上昇開始ポイントが早く、且つ上昇曲線(1)に比べて温度上昇傾きｂが僅かに大きな上昇曲線(2)となる。
【００１８】
また、プレート３の初期温度のみが高い状態（調理後、油２を新品に入換えた場合など）から加熱を開始した場合には、加熱開始直後、プレート３に対し低温の油２の影響を受け、一旦温度がＴ０より低下した後に上昇へ転じ、温度上昇ポイントが遅く、上昇後は上昇曲線(1)に比べて温度上昇傾きｃが僅かに小さな上昇曲線(3)となる。
【００１９】
ここで、ホットスタートによる加熱時間の誤差（基準となるコールドスタートに対する誤差）は、Δｔｍ１に表れるので、もし上昇曲線(1)(2)(3)の温度上昇傾きａ，ｂ，ｃが全て同じであれば、Δｔｍ２のみを用いて反り量閾値と比較することにより、ホットスタートによる加熱時間の誤差をキャンセルすることが可能である。しかし、上昇曲線(1)(2)(3)の温度上昇傾きａ，ｂ，ｃは僅かに異なるので、Δｔｍ２のみでは正しく反り量を検出することはできない。そこで、Δｔｍ１とΔｔｍ２とを用いて反り量を検出することにより、ホットスタートの場合もコールドスタートと同様に正確に反り量を検出することができる。
【００２０】
図５は、Δｔｍ１を横軸にΔｔｍ２を縦軸にとり、鍋反り量の関係を表したグラフである。同図に示すように、Δｔｍ１とΔｔｍ２の関係は、鍋反り量ごとに一次関数の関係にて表される。従って、Δｔｍ１とΔｔｍ２の値が判れば、図５の関係から反り量を推定することが可能となる。なお、図５の関係は油量の大小の影響を受けることがないため、鍋１内の油量の大小によらず鍋１の反り量検出を行うことが可能である。
【００２１】
また、図５の関係は実機試験結果を基に対象機種に合わせて決定することが可能であり、代表的なポイント（例えば反り０．２ｍｍ、１．０ｍｍ、３．０ｍｍ）にて試験を行い、各ポイント間の１次式については傾きａ１〜ａ８、切片ｂ１〜ｂ８を近似補間によって求めることにより、少ない試験回数でも図５の関係を決定することができる。
【００２２】
図６は、Δｔｍ１（第１の経過時間）およびΔｔｍ２（第２の経過時間）と、反り量閾値との関係を表した反り量検出テーブルを示す図である。この反り量検出テーブルは、図５により決定した傾きａ１〜ａ８、切片ｂ１〜ｂ８を用いて各鍋反り量における閾値算出式を求め、鍋の反りレベルと反り量閾値の関係を表している。
【００２３】
ここで、反りレベルは、同図においてΔｔｍ２が何れの反りレベルに該当する値なのかを判定することにより決定される。また、反り量判定閾値算出式ｆ１（Δｔｍ１）〜ｆ８（Δｔｍ１）は、図５で説明したようにΔｔｍ１の１次式で表されるので、この一次式より傾きａ１〜ａ８、切片ｂ１〜ｂ８を予め決定しておく。そして、この反り量検出テーブルをマイコン１５のメモリーに記憶しておき、この反り量検出テーブルを用いて上記判定処理を反り量検出手段８で行うことにより、鍋１の反りレベルの判定が可能となる。
【００２４】
また、反り量判定閾値算出式の傾きａ１〜ａ８および切片ｂ１〜ｂ８は、反り量が小さい領域では反り量の差異に対して変化量が大きいが、反り量が大きい領域では反り量の差異に対し変化量が小さい。従って、反り量判定閾値を等分割設定した場合には、反り量が少ない領域における分解能が低下してしまい、判定精度が粗くなってしまう。
【００２５】
このため、図６の反り量検出テーブルでは、反り量が少ない領域（反りレベルＳ１〜Ｓ５）では反り量閾値を細かく設定すると共に、反り量が多い領域（反りレベルＳ６〜Ｓ８）では反り量閾値を粗く設定している。このように反り量が少ない領域と多い領域において閾値の分解能を変化させることにより、少ない閾値の設定数でも反り量の判定精度を高く保つことが可能であり、且つ閾値に関する情報（傾き、切片）をマイコン１５に記憶する容量を小さく抑えることが可能となる。
【００２６】
以上のように、本実施の形態では、Δｔｍ１とΔｔｍ２とに基づいて反り量を検出することにより、ホットスタートの影響を効果的に排除することができる。その結果、ホットスタート条件においても、高い精度で鍋１の反り量を検出することが可能となる。
【００２７】
なお、本実施の形態では、反り量閾値としてΔｔｍ２の傾きの値や、加熱開始後、ある一定時間が経過した後の区間における温度上昇量やその傾きを用いても、同様に、ホットスタート条件における鍋１の反り量の正確な検出が可能である。また、Δｔｍ１についてもＴ０からＴ１に至るまでの傾きや、加熱開始後一定時間経過における温度上昇量やその傾きを利用することが可能である。
【００２８】
次に、容量検出手段９の動作について、図７〜図１１を用いて説明する。図７は、加熱初期の反り検知終了後、更に加熱コイル５による加熱を継続した場合のセンサー温度上昇傾向を表したものである。加熱開始から時間Δｔｍ３経過時点の温度Ｔ３から所定時間Δｔｍ４（例えばΔｔｍ４＝１０秒）経過した後の温度Ｔ４に至った時点の温度差をΔＴ４（ΔＴ４＝Ｔ４−Ｔ３）としている。本実施の形態では、油加熱開始後、サーミスタ４と、タイマー７を利用して、上記Δｔｍ３とΔｔｍ４の時間および温度差ΔＴ４の計測を行う。
【００２９】
容量検出手段９は、計測されたΔＴ４、例えば図８に示す表のようにΔＴ４が設定された閾値に対しどの範囲に属するのかを判定し、油量レベルを決定する。油量判定閾値Ｚ１〜Ｚ３は次式にて表される。
【００３０】
油量判定閾値［℃］＝Ｚ＋ΔＴｓ＋ΔＴｐ＋ΔＴｏｉｌ…（式１）
【００３１】
ここで、Ｚ［℃］は基準閾値、ΔＴｓ［℃］は反り量補正、ΔＴｐ［℃］は初期プレート温度補正、ΔＴｏｉｌ［℃］は初期油温補正である。
【００３２】
以下、基準閾値Ｚおよび各補正量について説明する。基準閾値Ｚは、初期加熱状態におけるプレート３と鍋１内の油２の温度が周囲の空気温度（常温）に等しいコールドスタート条件であり、かつ、鍋反りが無い鍋１を用いて加熱を行った場合の最も標準的な条件における閾値（基準閾値Ｚ）を表す。この基準閾値Ｚの値は、実機試験に基づき決定する。
【００３３】
基準閾値Ｚは、鍋反りが無く、且つ、初期加熱状態におけるプレート３と鍋１内の油２の温度が周囲の空気温度（常温）に等しい条件を想定した場合の閾値であるため、油量判定に影響を及ぼす鍋反り量、初期プレート温度、初期油温度のそれぞれの影響を考慮した補正を行う必要がある。
【００３４】
図９は、横軸に油量、縦軸にΔＴ４をとり、反り補正の概念を表した図である。鍋の反り量の影響は、基準状態（基準状態＝基準閾値Ｚ）に対し図に示すように表れ、鍋反り量が基準よりも大きくなると閾値ΔＴ４は全体的に縦軸マイナス方向へ平行移動する傾向となる。従って、反り補正量ΔＴｓの値は、前述の反り量検出手段８にて求めた反りレベルに応じた値をテーブル化してメモリに記憶しておき、このテーブルを参照することにより決定することが可能である。また、ΔＴｓの値は対象機種に応じて実機試験結果により決定する。
【００３５】
図１０は、横軸に油量、縦軸にΔＴ４をとり、初期プレート温度補正と初期油温補正の概念を表した図である。初期プレート温度と初期油温の影響は、基準状態（基準状態＝基準閾値Ｚ）に対し図に示すように表れる。基準状態では、初期プレート温度＝初期油温であるため、この状態から油の温度のみ高くなるとΔＴ４は縦軸プラス方向へ平行移動し、油の温度のみ低くなると縦軸マイナス方向へ平行移動する傾向となる。また、初期プレート温度の影響については上記初期プレート温度と初期油温度の関係を保った状態で、初期プレート温度が上昇した場合には全体的に縦軸マイナス側へ平行移動する傾向となる。
初期プレート温度補正量ΔＴｐは、次式にて求められる。
【００３６】
（初期プレート温度−基準条件プレート温度）×補正傾き１…（式２）
【００３７】
ここで、初期プレート温度は加熱開始時のプレート温度、基準条件プレート温度は基準閾値Ｚの条件における初期プレート温度、補正傾き１は実機試験結果の傾向から決定される定数である。
また、初期油温補正量ΔＴｏｉｌは、次式にて求められる。
【００３８】
（初期温度上昇時間Δｔｍ１−基準温度上昇時間Δｔｍ１′）×補正傾き２…（式３）
【００３９】
ここで、初期温度上昇時間Δｔｍ１は図４にて説明のΔｔｍ１であり、基準温度上昇時間Δｔｍ１′は基準閾値Ｚの条件におけるΔｔｍ１の値である。
【００４０】
基準となる初期温度上昇時間Δｔｍ１′は、初期プレート温度と鍋反り量によって値が特定され、その関係は図１１にて表される。図１１より初期プレート温度と反り量検出手段８で検出された鍋反り量が判れば、Δｔｍ１′の値が求まる。実機においては、図１１の傾きｃ１〜ｃ８および切片ｄ１〜ｄ８を実機試験により決定し、マイコン１５のメモリーに記憶する。そして、Δｔｍ１′算出時にマイコン１５のメモリーから傾きｃ１〜ｃ８および切片ｄ１〜ｄ８を呼び出して、容量検出手段９で演算を行うことにより、Δｔｍ１′を算出することができる。
【００４１】
以上のように、容量検出手段９は、基準閾値Ｚに対して少なくとも初期油温補正を行うことにより、初期加熱状態における鍋１内の油２の温度が周囲の空気温度（常温）に比べて高温の場合（ホットスタートの場合）であっても、その影響を効果的に排除することができる。その結果、高い精度で油量を検出することが可能となる。
【００４２】
また、容量検出手段９は、基準閾値Ｚに対して少なくとも初期油温補正と初期プレート温度補正とを行うことにより、初期加熱状態における鍋１内の油２の温度と、初期加熱状態におけるプレート３の温度との少なくとも一方が、周囲の空気温度（常温）に比べて高温の場合（ホットスタートの場合）であっても、その影響を効果的に排除することができる。その結果、高い精度で油量を検出することが可能となる。
【００４３】
さらに、容量検出手段９は、基準閾値Ｚに対して初期油温補正と初期プレート温度補正と反り量補正とを行うことにより、初期加熱状態における鍋１内の油２の温度と、初期加熱状態におけるプレート３の温度との少なくとも一方が、周囲の空気温度（常温）に比べて高温の場合（ホットスタートの場合）であっても、その影響を効果的に排除することができ、併せて、鍋反りによる検出誤差も排除することができる。その結果、高い精度で油量を検出することが可能となる。
【００４４】
また、油量が少ない場合には温度上昇の差異が加熱開始後早期に表れるため、Δｔｍ４が小さい領域において正確な油量検出を行うことが可能である。しかし、油量が多い場合に正確な判定を行なうためには、Δｔｍ４が大きい領域で判定を行なう必要がある（油量が多い場合にはΔｔｍ４が大きい領域にならないと差が明確に表れないためである）。そこで、例えばΔｔｍ４＝３０，４０，５０，６０，７０，８０，９０，１００［ｓｅｃ］など、時間経過に応じて複数回判定を行うことにより、油量小から油量大までの広い油量範囲に対し、油量検知精度を向上させることが可能となる。
【００４５】
なお、上記の容量検出手段９では、油量判定閾値として温度差ΔＴ４を用いているが、このときの傾きの値や、一定温度差上昇における所要時間またはその傾きを用いてもコールドスタート条件に加え、ホットスタート条件における正確な油量の検出が可能となる。また、Δｔｍ１についてもＴ０からＴ１に至るまでの傾きや、加熱開始後一定時間経過における温度上昇量やその傾きを利用することが可能である。
【００４６】
図１２は、反り量検出手段８と油量検出手段９により検出した鍋反りレベルと油量レベルを用いて、制御温度設定手段１１ａにて加熱コイル５の予熱加熱を終了するサーミスタ目標温度Ｔｈを変更する補正量ΔＴｈの値を数表化したものである。
【００４７】
図１３は、横軸に時間、縦軸に温度を取り、加熱開始からの油温とサーミスタ温度の変化を表したグラフである。図のように油温に対し、サーミスタ温度は鍋反り量と油量によって上昇の傾向が異なり、油温が目標温度に到達した時点のサーミスタ温度（サーミスタ温度＝サーミスタ目標温度Ｔｈ）は、鍋反り量と油量によって異なる。従って、予熱制御時のサーミスタ目標温度Ｔｈの補正を、図１２により決定したΔＴｈの値により行う（補正後Ｔｈ′＝Ｔｈ＋ΔＴｈ）。
【００４８】
図１４は、以上説明の予熱制御の内容をフローチャート化した図である。同図に示すように、予熱開始後（Ｓ１）、反り量検出手段８を用いて鍋１の反り量検出を行い（Ｓ２）、続いて容量検出手段９を用いて鍋１内の油量検出を行う（Ｓ３）。そして、これらの検出結果を基に各補正量を用いてサーミスタ目標温度Ｔｈの変更を行い（Ｓ４）、サーミスタ温度が目標温度を上回っているかどうかの判定を行う（Ｓ５）。この判定処理で、サーミスタ温度が目標温度を上回っていると判断した場合には、予熱を完了させる（Ｓ６）。
【００４９】
ここで、検出精度を高めるために油量検出を複数回行う場合には（例えばΔｔｍ４＝３０，４０，５０，６０，７０，８０，９０，１００［ｓｅｃ］のタイミングで行う）、Ｓ３〜Ｓ５の処理を複数回実施するとよい。
【００５０】
以上のように、反り量検出手段８および容量検出手段９で検出した補正量を用いてサーミスタ目標温度Ｔｈを変更することにより、正確なサーミスタ目標温度Ｔｈの設定を行うことができる。その結果、ホットスタートの場合であっても、サーミスタ目標温度Ｔｈに向けて確実に予熱処理を行うことができる。
【００５１】
なお、本発明は上記実施の形態に限定されることなく、本発明の趣旨から逸脱しない範囲内において、例えば以下のように変更することも可能である。
（１）上記実施の形態では、油２の容量検出を行っているが、油２に限定されることなく、水やスープなどの他の液体を用いてもよい。
【００５２】
（２）上記実施の形態では、温度センサとしてサーミスタ４を用いてプレート３の温度を測定しているが、サーミスタ４に限定されることなく、赤外線センサ等の他のセンサを用いてもよい。
【図面の簡単な説明】
【００５３】
【図１】本実施の形態に係る誘導加熱調理器の構成を示すブロック図である。
【図２】本実施の形態に係る誘導加熱調理器の回路構成を示す図である。
【図３】本実施の形態に係る誘導加熱調理器の加熱初期における温度特性図である。
【図４】本実施の形態に係る誘導加熱調理器の加熱初期における初期油温と初期プレート温度の影響を表した温度特性図である。
【図５】本実施の形態に係る誘導加熱調理器において、Δｔｍ１−Δｔｍ２座標面上における反り量の関係を表した図である。
【図６】本実施の形態に係る誘導加熱調理器において、反り量と閾値Δｔｍ２の関係を表した図である。
【図７】本実施の形態に係る誘導加熱調理器の加熱温度特性図である。
【図８】本実施の形態に係る誘導加熱調理器において、油量と閾値ΔＴ４の関係を表した図である。
【図９】本実施の形態に係る誘導加熱調理器において、油量判定閾値ΔＴ４に対する鍋反り量の影響を表した図である。
【図１０】本実施の形態に係る誘導加熱調理器において、油量判定閾値ΔＴ４に対する初期油温と初期プレート温度の影響を表した図である。
【図１１】本実施の形態に係る誘導加熱調理器において、Ｔ０−Δｔｍ１'座標面上における反り量の関係を表した図である。
【図１２】本実施の形態に係る誘導加熱調理器において、鍋反り量と油量に応じた補正温度量ΔＴｈの関係を表した図である。
【図１３】本実施の形態に係る誘導加熱調理器において、鍋反り量と油量に応じた温度補正の概念を表した図である。
【図１４】本実施の形態に係る誘導加熱調理器の制御を示すフローチャートである。
【符号の説明】
【００５４】
１…鍋、２…油、３…プレート、４…サーミスタ、５…加熱コイル、６…温度検出手段、７…タイマー、８…反り量検出手段、９…油量検出手段、１０…加熱量設定手段、１１…加熱量調整手段、１１ａ…制御温度設定手段、１１ｂ…出力調整手段、１２…インバータ回路、１３…制御手段、１４…交流電源、１５…マイコン、１６…直流電源回路。
【図１】
2006228757.tif 000003
【図２】
2006228757.tif 000004
【図３】
2006228757.tif 000005
【図４】
2006228757.tif 000006
【図５】
2006228757.tif 000007
【図６】
2006228757.tif 000008
【図７】
2006228757.tif 000009
【図８】
2006228757.tif 000010
【図９】
2006228757.tif 000011
【図１０】
2006228757.tif 000012
【図１１】
2006228757.tif 000013
【図１２】
2006228757.tif 000014
【図１３】
2006228757.tif 000015
【図１４】
2006228757.tif 000016
【手続補正書】
【提出日】平成18年7月11日(2006.7.11)
【手続補正１】
【補正対象書類名】図面
【補正対象項目名】図１
【補正方法】変更
【補正の内容】
【図１】
2006228757.tif 000017
【手続補正２】
【補正対象書類名】図面
【補正対象項目名】図２
【補正方法】変更
【補正の内容】
【図２】
2006228757.tif 000018
【手続補正３】
【補正対象書類名】図面
【補正対象項目名】図３
【補正方法】変更
【補正の内容】
【図３】
2006228757.tif 000019
【手続補正４】
【補正対象書類名】図面
【補正対象項目名】図４
【補正方法】変更
【補正の内容】
【図４】
2006228757.tif 000020
【手続補正５】
【補正対象書類名】図面
【補正対象項目名】図５
【補正方法】変更
【補正の内容】
【図５】
2006228757.tif 000021
【手続補正６】
【補正対象書類名】図面
【補正対象項目名】図６
【補正方法】変更
【補正の内容】
【図６】
2006228757.tif 000022
【手続補正７】
【補正対象書類名】図面
【補正対象項目名】図７
【補正方法】変更
【補正の内容】
【図７】
2006228757.tif 000023
【手続補正８】
【補正対象書類名】図面
【補正対象項目名】図８
【補正方法】変更
【補正の内容】
【図８】
2006228757.tif 000024
【手続補正９】
【補正対象書類名】図面
【補正対象項目名】図９
【補正方法】変更
【補正の内容】
【図９】
2006228757.tif 000025
【手続補正１０】
【補正対象書類名】図面
【補正対象項目名】図１０
【補正方法】変更
【補正の内容】
【図１０】
2006228757.tif 000026
【手続補正１１】
【補正対象書類名】図面
【補正対象項目名】図１１
【補正方法】変更
【補正の内容】
【図１１】
2006228757.tif 000027
【手続補正１２】
【補正対象書類名】図面
【補正対象項目名】図１２
【補正方法】変更
【補正の内容】
【図１２】
2006228757.tif 000028
【手続補正１３】
【補正対象書類名】図面
【補正対象項目名】図１３
【補正方法】変更
【補正の内容】
【図１３】
2006228757.tif 000029
【手続補正１４】
【補正対象書類名】図面
【補正対象項目名】図１４
【補正方法】変更
【補正の内容】
【図１４】
2006228757.tif 000030